(57)【特許請求の範囲】
【請求項１】
装置本体内へディスクをローディングしまた装置本体内からディスクをイジェクトするために、載置凹部を有したディスクトレイを利用するディスク装置において、
縦置利用でディスクトレイがイジェクト位置になるときに少なくとも上側がディスクトレイ離反方向へ開口してディスクを保持し、そしてディスクトレイがローディング位置になるときに閉口して載置凹部へディスクをセットするホルダが設けられており、
前記ホルダは、ディスク装置に対し着脱可能に設けられ、ディスクトレイがイジェクト位置になるときに自動的に開口し且つローディング位置になるときに自動的に閉口するようになっており、かつ該ホルダは、ディスクトレイに合わせた形状としたディスク保持面体と、ディスク保持面体の下端部に設けられてディスクトレイの対応部位に設けた係止部で支持される支持軸と、ディスク保持面体に突設され載置凹部へセット可能にディスク保持位置を調整する保持爪と、装置本体内に設けたカム部材との当接によりディスク保持面体を開閉させるカム体と、から構成されており、
さらに、ホルダを開方向へ付勢する付勢手段が設けられており、該付勢手段が、ディスク保持面体に一体成形してディスクトレイ側へ突出させたバネ片であることを特徴とするディスク装置。
【発明の詳細な説明】
【０００１】
【発明の属する技術分野】
本発明はディスク装置に関するもので、特にそのディスクローディング機構に関する。
【０００２】
【従来の技術】
ＣＤに代表されるディスク状記録担体（単にディスクとする）を駆動するＣＤ−ＲＯＭドライブ等のディスク装置は一般に、ディスクトレイを装置本体から出し入れ可能に設け、該ディスクトレイを介してディスクを装置本体内へローディングし、また装置本体内からイジェクトするディスクローディング機構を利用している。この場合のディスクトレイには、装置本体のディスク回転支持用のターンテーブルに対する位置決めのための載置凹部が形成され、この載置凹部にディスクをセットしてローディング／イジェクトを行うようになっている。即ち、ディスクトレイが装置本体から突出したイジェクト位置で載置凹部へディスクをセットし、そしてディスクトレイが装置本体内へ引っ込んでローディング位置になるとターンテーブルが上昇して載置凹部にセットされたディスクの中央孔と嵌合し、ディスクが持ち上げクランプされて駆動される。
【０００３】
ところで、最近のマルチメディア化に伴ってパソコン（ＰＣ）の外部記憶装置としてのディスク装置の有用性が増してきており、現在では標準装備とする傾向にある。この場合、設置スペースの有効活用の点からＰＣ本体やディスク装置を縦置利用する要望が強い。即ち、ディスクの情報記録面を水平にして駆動する通常の使用方法（水平置）ではなく、情報記録面をほぼ垂直に立てて駆動する状態で使用するものである。ところが、ディスク装置はもともと縦置利用を想定して設計されたものではなく、そのままではイジェクト位置になったディスクトレイの載置凹部へディスクをセットすることができくなるので、縦置に対応する何らかの手段を講じる必要がある。
【０００４】
【発明が解決しようとする課題】
縦置利用に対応する手段としては、特開平６−１１１４４４号公報、特開平６−３３３３１１号公報に開示されたようなものが現在までに知られている。しかしながら、これら技術は簡単な手法で縦置対応が可能となってはいるものの、その操作性やディスク保持の確実性の点で改善の余地が残されている。即ち、両技術とも、フック状のディスク保持部材と載置凹部の底面との間の間隙にディスクを上方から差し込まなければならなず、この間隙は結構狭いため操作性があまり良くなく煩わしい。また、両技術とも、セットした際のディスク上側を保持することはその構造上できず、ディスク下側のみの保持しか行えないために思ったよりディスクが抜けやすい。
【０００５】
このような従来技術に鑑みて本発明では、縦置利用におけるディスクローディングに際しての操作性が良く、また確実にディスクを保持できるようなディスクローディング機構をもったディスク装置を提供するものである。
【０００６】
【課題を解決するための手段】
上記課題を解決するために本発明によるディスク装置は、縦置利用でディスクトレイがイジェクト位置になるときに少なくとも上側がディスクトレイ離反方向へ開口してディスクを保持し、そしてディスクトレイがローディング位置になるときに閉口して載置凹部へディスクをセットするホルダを設けることを特徴とする。このホルダを設けたディスクローディング機構とすれば、ディスクのローディングに際して、開口したホルダへディスクを言わば放り込んで保持させれば、あとはこのホルダによりディスクが載置凹部へセットされる。従って、従来のように保持部材と載置凹部との僅かな間隙にディスク周縁部を差し込むような操作性の悪さは解消される。またホルダは、ディスクのほぼ片面全体を保持可能な形状に設計することができるので、ディスク保持の確実性を向上させられる。
【０００７】
このようなホルダについては、ディスク装置から着脱可能にしておけば、ディスク装置を水平置で利用する場合には取り外すことができるので、水平置利用での操作性に影響を与えずにすむ。また、ホルダは手動で開口／閉口を行うものでもよいが、ディスクトレイがイジェクト位置になるときに自動的に開口し且つローディング位置になるときに自動的に閉口するものとしておく方が使いやすいであろう。
【０００８】
このホルダの一態様としては、ディスクトレイに合わせた形状としたディスク保持面体と、ディスク保持面体の下端部に設けられ、ディスクトレイの対応部位に設けた係止部で支持される支持軸と、ディスク保持面体に突設され、載置凹部へセット可能にディスク保持位置を調整する保持爪と、装置本体内に設けたカム部材との当接によりディスク保持面体を開閉させるカム体と、から構成する。これは、面状のディスク保持面体が支持軸を中心に回動して上側が開口する構成で、ディスク保持面体は斜めの状態でディスクの片面を面支持して保持できる。従って、確実にディスクを保持可能である。また、カム体により、ディスクトレイの出し入れに伴って自動的にディスク保持面体が開閉し、使いやすいものとなる。更に、支持軸はディスクトレイの係止部による係止で支持されるようにしてあるので、簡単に着脱することが可能である。尚、当該ホルダの材質としては樹脂製とするのが適しているのは言うまでもない。
【０００９】
この態様のホルダにおいては、ディスクトレイのイジェクト位置でホルダの自重により回動して上開きするものでも十分であるが、より確実な動作を得るために、ディスク保持面体を開方向へ付勢する付勢手段を設けてもよい。付勢手段は、支持軸へ取り付けたつる巻きバネ等でもよいが、ホルダの着脱や形成の容易性を考えれば、ディスク保持面体に一体成形してディスクトレイ側へ突出させたバネ片とするのが最適である。
【００１０】
【発明の実施の形態】
図１〜図３に、ディスク装置１を縦置してディスクトレイ２をイジェクト位置に突出させた状態の３方向からみた各側面図を示す。図１が横、図２が前、そして図３が上からみた場合の側面図である。尚、この実施形態のディスク装置１はＣＤ−ＲＯＭドライブである。
【００１１】
ディスクトレイ２には、装置本体３内に設置されたターンテーブル及び光学ピックアップからなる駆動部（図示略）との干渉を避けるために、切欠開口２ａが形成してある。即ち、駆動部は昇降動作可能とされ、ディスクトレイ２がイジェクト位置にある場合には下降状態にあってディスクトレイ２の移動に対し邪魔とならないようにしてあり、そして、ディスクトレイ２がローディング位置になると切欠開口２ａを介して上昇し、載置凹部４にセットされたディスクＤをターンテーブルに受けて持ち上げクランパ（図示略）でクランプし、回転駆動する。
【００１２】
ターンテーブルに対しディスクＤを位置決めする載置凹部４はディスクトレイ２のほぼ中央部分に形成されている。ディスクＤがこの載置凹部４へセットされると、載置凹部４をなす側壁４ａにディスクＤの周縁が当接することで、ディスクＤの中心孔ｄがターンテーブルに対応するように位置決めされる。載置凹部４の側壁４ａは底面へ向けて狭くなるように斜めに形成されており、ディスクＤを受け入れやすくなっている。
【００１３】
この例のホルダ５は、図４〜図６にその詳細を示すように、ディスクトレイ２の形状に合わせて“コ”字状としたディスク保持面体５ａを有している。このディスク保持面体５ａの下端部には、２つの支持軸５ｂがディスクトレイ２側へ若干突出させて設けられ、この支持軸５ｂが、ディスクトレイ２の対応部位に形成した係止部６（図２Ｂ）に係止することで着脱可能にして支持される。イジェクト位置で装置本体３側になる一方の支持軸５ｂには、カム体５ｃが突設してあり、このカム体５ｃが装置本体３内に設置したカム部材７と当接することでホルダ５は、イジェクト位置になるときに自動的に開口し、ローディング位置へ引っ込む際には自動的に閉口することができる。即ち、カム部材７の端部には段差７ａが形成されており、ディスクトレイ２の移動に伴ってカム体５ｃがこの段差７ａに沿って強制的に動かされるため、これに従ってホルダ５が回動し開閉する。
【００１４】
尚、このように自動式開閉にせずとも、図６に点線で示すような係合片Ｋをディスク保持面体５ａの上部に設け、ディスクトレイ２の対応部位に係合片Ｋと係合する係合部（図示略）を形成しておけば、手動開閉とできる。この手動開閉方式によれば、ホルダ５が確実に閉められたことを示す“クリック感”を得られるので、ユーザーの好みによってはこの方が安心感を得られて好ましい場合も考えられる。また、ディスク保持面体５ａは、図７に示すようにディスクＤの直径の半分程度まで保持高さを有していれば十分な保持状態を得られ、また、“コ”字状に限らずとも、例えば図７に点線で示す“Ｌ”字状に形成することもできる。
【００１５】
ホルダ５は、上側下側ともに動作して全体がディスクトレイ２から迫り出して開口するような構成とすることも可能であるが、この例のように少なくとも上側開口すれば十分良好な操作性を得られ、部品点数や機構簡素化のためにも、本実施形態のものが良い。また、係止部６をディスクトレイ２の図示とは上下対称の部位に追加形成しておき、支持軸５ｂ及びカム体５ｃをディスク保持面体５ａの図示とは反対向きに設けたホルダ５を用意しておけば、図示とは逆の縦置（即ち図示の上側を下向きにした縦置）利用にも簡単に対応できる。或いは、ディスク保持面体５ａの表裏両面に支持軸５ｂ及びカム体５ｃを設けておけば、１つのホルダ５でも対応可能である。
【００１６】
ディスク保持面体５ａの保持面部Ｓには、ディスクＤの周縁に当接し、載置凹部４へセット可能なようにディスクＤの保持位置を調整する保持爪５ｄ，５ｅ，５ｆが３箇所突設してある。ディスクＤが挿入されると、保持爪５ｄにより載置凹部４に対するディスクＤの上下位置が調整され、そして保持爪５ｅ，５ｆにより載置凹部４に対するディスクＤの前後位置が調整される。保持爪５ｅ，５ｆは先端部Ｔが曲折形成されてカギ形となっており、ホルダ５が開く際にその先端部ＴがディスクＤに当接することで、確実にディスクＤが載置凹部４から取り出されてホルダ５に保持されるようにしてある。この保持爪５ｅ，５ｆの先端部Ｔとディスク保持面体５ａとの間隔は、載置凹部４の深さより大きくとってあり、従って載置凹部４の対応部位には、先端部Ｔが通過するための通過孔８が形成されている。先端部Ｔとディスク保持面体５ａとの間隔は大きくとれるため、操作性の悪化につながるようなことはない。
【００１７】
この例のホルダ５のディスク保持面体５ａには、該ディスク保持面体５ａと一体成形したバネ片５ｇが設けられている。このバネ片５ｇは、ホルダ５を開方向へ付勢する付勢手段であり、ディスク保持面体５ａの一部をディスクトレイ２側へ切り起こして突出させた状態に形成してある。
【００１８】
以上のようなホルダ５を備えた本実施形態のディスク装置１で、ディスクＤを出し入れする際の動作を説明する。
【００１９】
まず、ディスクＤをローディングするには、ディスク装置１を操作してディスクトレイ２をイジェクト位置に突出させる。このときにはカム体５ｃ及びバネ片５ｇの働きにより、ホルダ５はその上側がディスクトレイ２から離反する方向へ開口する図示の状態になる。従って、ディスクＤを上方からホルダ５へ容易に挿入することができる。ホルダ５へ挿入されたディスクＤは、保持爪５ｄ，５ｅ，５ｆによる３点支持で載置凹部４へセット可能に保持位置が調整され、ディスク保持面体５ａの保持面部Ｓで保持される。
【００２０】
次いでディスク装置１を操作してディスクトレイ２をローディング位置へ引っ込ませるとそのときには、ディスクトレイ２の移動に伴ってカム体５ｃがカム部材７に沿って動き、カム部材７の段差７ａを乗り越える状態となるので、これによりホルダ５は自動的に回動して閉口する。この閉状態になると、保持爪５ｅ，５ｆの先端部Ｔは通過孔８を介して載置凹部４よりも奥へ引っ込む関係となり、これに伴い載置凹部４へディスクＤがセットされる。
【００２１】
そして、ディスクトレイ２のローディング位置では、載置凹部４にセットされたディスクＤをターンテーブルが支持して若干持ち上げ、ディスクＤの回転駆動が始まる。この際、ホルダ５のディスク保持面体５ａがディスクＤの回転動作に干渉しないように、ホルダ５の閉位置とターンテーブルによるディスク持上量との関係を調整してあることは勿論である。
【００２２】
ディスクＤをイジェクトする際には、ディスクトレイ２のイジェクト位置への移動に伴うカム体５ｃ及びバネ片５ｇの働きにより、ディスクトレイ２がイジェクト位置になるとホルダ５が開口する。この開動作に際して保持爪５ｅ，５ｆの先端部Ｔが当接するのでディスクＤが載置凹部４から取り出され、ホルダ５に保持される。従って、ホルダ５上方へディスクＤを容易に取り出すことができる。
【００２３】
一方、ディスク装置１を水平置利用する場合には、係止部６から支持軸５ｂを引き抜くようにしてホルダ５を取り外せば、通常の使用方法で使用可能となる。
【００２４】
【発明の効果】
以上述べたように本発明によれば、上側開口するホルダへ一旦ディスクを保持させた後、該ホルダから載置凹部へディスクをセットするディスクローディング機構としたことで、縦置利用でもディスク挿入の間口を大きくとることができるようになり、操作性が格段に向上する。また、ホルダはディスクの片面を面支持する形態にすることが可能なので、ディスク保持が確実なものとなる。更に、ホルダは射出成形等で一体成形可能であるため、部品点数が非常に少なくてすみ、コスト的にも、組立の容易性でも従来より優れている。
【図面の簡単な説明】
【図１】ディスク装置を縦置したときのイジェクト状態での横からみた一部破断の側面図。
【図２】分図Ａは、ディスク装置を縦置したときのイジェクト状態での前からみた一部断面の側面図、分図Ｂは、ディスクトレイの係止部を示す要部拡大図。
【図３】ディスク装置を縦置したときのイジェクト状態での上からみた一部破断の側面図。
【図４】ホルダの実施形態を示す側面図。
【図５】図４の矢示Ｘ方向からみた側面図。
【図６】図４の矢示Ｙ方向からみた側面図。
【図７】ホルダの他の実施形態を示す図４相当の側面図。
【符号の説明】
１  ディスク装置
２  ディスクトレイ
３  装置本体
４  載置凹部
５  ホルダ
５ａ  ディスク保持面体
５ｂ  支持軸
５ｃ  カム体
５ｄ，５ｅ，５ｆ  保持爪
５ｇ  バネ片（付勢手段）
６  係止部
７  カム部材
【図１】
0003761227.tif 000002
【図２】
0003761227.tif 000003
【図３】
0003761227.tif 000004
【図４】
0003761227.tif 000005
【図５】
0003761227.tif 000006
【図６】
0003761227.tif 000007
【図７】
0003761227.tif 000008